(57)【特許請求の範囲】
【請求項１】
端末によって、ネットワーク側デバイスによって前記端末に割り振られたアップリンク伝送リソースを記憶するステップと、
前記端末がデータパケットを送信する必要があるとき、前記端末によって、前記アップリンク伝送リソースを使用することにより、前記データパケットを前記ネットワーク側デバイスに送信するステップと、
を含み、前記データパケットは指示情報を含み、前記指示情報を使用して、前記データパケットが前記端末によって最初に伝送されるか、または前記データパケットが前記端末によって再送されるかを指示し、
前記端末によって次回送信されることになるデータパケットが、前記記憶されたアップリンク伝送リソースを使用することによって伝送されるか、または、再要求された際に前記ネットワーク側デバイスによって割り振られたアップリンク伝送リソースを使用することによって伝送されるかを示すために、前記指示情報がさらに使用される、アップリンク伝送方法。
【請求項２】
事前割振りされたアップリンク伝送リソースを使用することによって、端末によってネットワーク側デバイスに送信されたデータパケットを、前記ネットワーク側デバイスによって受信するステップであって、前記データパケットは指示情報を含み、前記指示情報は、前記データパケットが前記端末によって最初に伝送されるか、または前記データパケットが前記端末によって再送されるかを示すために使用される、ステップと、
前記指示情報に基づいて、前記ネットワーク側デバイスによって、前記データパケットに対する組み合わせ処理を実行するステップと、
を含み、
前記端末によって次回送信されることになるデータパケットが、前記事前割振りされたアップリンク伝送リソースを使用することによって伝送されるか、または、再要求された際に前記ネットワーク側デバイスによって割り振られたアップリンク伝送リソースを使用することによって伝送されるかを示すために、前記ネットワーク側デバイスによって受信される前記指示情報がさらに使用される、アップリンク伝送方法。
【請求項３】
ネットワーク側デバイスによって端末に割り振られたアップリンク伝送リソースを記憶するように構成されるメモリと、
前記端末がデータパケットを送信する必要があるとき、前記メモリ内に記憶された前記アップリンク伝送リソースを使用することによって、前記データパケットを前記ネットワーク側デバイスに送信するように構成されるトランシーバであって、前記データパケットは指示情報を含み、前記指示情報は、前記データパケットが前記端末によって最初に伝送されるか、または前記データパケットが前記端末によって再送されるかを示すために使用される、トランシーバと、
を備え、
前記端末によって次回送信されることになるデータパケットが、前記記憶されたアップリンク伝送リソースを使用することによって伝送されるか、または、再要求された際に前記ネットワーク側デバイスによって割り振られたアップリンク伝送リソースを使用することによって伝送されるかを示すために、前記指示情報がさらに使用される、端末。
【請求項４】
前記指示情報は、ハイブリッド自動再送要求(HARQ)プロセス識別情報(ID)、新規データインジケータ(NDI)、リソースブロック割り当て(RBA)インジケータ、およびリダンダンシバージョン(RV)、というパラメータのうちの1つまたは複数を含む、請求項3に記載の端末。
【請求項５】
前記指示情報はバッファステータス報告(BSR)である、請求項3に記載の端末。
【請求項６】
前記データパケットは制御情報を含み、前記指示情報は前記制御情報内で搬送され、また前記制御情報は、最初に伝送されるデータパケットおよび再送されるデータパケットによって共同で使用されるアップリンク伝送リソース上で伝送される、請求項3から5のいずれか一項に記載の端末。
【請求項７】
前記データパケットは基準信号を含み、前記指示情報は前記基準信号内で搬送される、請求項3から5のいずれか一項に記載の端末。
【請求項８】
前記HARQプロセスIDに使用される異なる値は、異なるHARQプロセスを表すか、または、前記NDIに使用される異なる値は、最初に伝送されるデータパケットまたは再送されるデータパケットを表すか、または、前記リダンダンシバージョン(RV)に使用される異なる値は、再送回数、および、最初に伝送されるデータパケットまたは再送されるデータパケットを表すか、または、前記RBAに使用される異なる値は、最初に伝送されるデータパケットまたは再送されるデータパケットによって使用される異なる時間周波数リソースを表す、請求項4に記載の端末。
【請求項９】
前記HARQプロセスIDに使用される異なるシーケンスまたは異なるパターンは異なるHARQプロセスを表すか、または、前記NDIに使用される異なるシーケンスまたは異なるパターンは、最初に伝送されるデータパケットまたは再送されるデータパケットを表すか、または、前記リダンダンシバージョン(RV)に使用される異なるシーケンスまたは異なるパターンは、再送回数、および最初に伝送されるデータパケットまたは再送されるデータパケットを表すか、または、前記RBAに使用される異なるシーケンスまたは異なるパターンは、最初に伝送されるデータパケットまたは再送されるデータパケットによって使用される異なる時間周波数リソースを表す、請求項4に記載の端末。
【請求項１０】
事前割振りされたアップリンク伝送リソースを使用することによって、端末によってネットワーク側デバイスに送信されたデータパケットを受信するように構成されるトランシーバであって、前記データパケットは指示情報を含み、前記指示情報は、前記データパケットが前記端末によって最初に伝送されるか、または前記データパケットが前記端末によって再送されるかを示すために使用される、トランシーバと、
前記指示情報に基づいて前記データパケットに対する組み合わせ処理を実行するように構成されるプロセッサと、
を備え、
前記端末によって次回送信されることになるデータパケットが、前記事前割振りされたアップリンク伝送リソースを使用することによって伝送されるか、または、再要求された際に前記ネットワーク側デバイスによって割り振られたアップリンク伝送リソースを使用することによって伝送されるかを示すために、前記トランシーバによって受信される前記指示情報がさらに使用されるネットワーク側デバイス。
【請求項１１】
前記指示情報は、ハイブリッド自動再送要求(HARQ)プロセス識別情報(ID)、新規データインジケータ(NDI)、リソースブロック割り当て(RBA)インジケータ、およびリダンダンシバージョン(RV)、というパラメータのうちの1つまたは複数を含む、請求項10に記載のネットワーク側デバイス。
。
【請求項１２】
前記トランシーバによって受信される前記指示情報はバッファステータス報告(BSR)である、請求項10に記載のネットワーク側デバイス。
【請求項１３】
前記トランシーバは、最初に伝送されるデータパケットおよび再送されるデータパケットによって共同で使用されるアップリンク伝送リソース上のデータパケットを検出し、前記データパケットは制御情報を含み、前記指示情報は前記制御情報内で搬送される、請求項12に記載のネットワーク側デバイス。
【請求項１４】
前記トランシーバによって受信される前記指示情報は基準信号内で搬送される、請求項12に記載のネットワーク側デバイス。
【請求項１５】
ネットワーク側デバイスによって端末に割り振られたアップリンク伝送リソースを記憶するように構成されるメモリと、
前記端末がデータパケットを送信する必要があるとき、前記メモリ内に記憶された前記アップリンク伝送リソースを使用することによって、前記データパケットを前記ネットワーク側デバイスに送信するように構成される処理回路であって、前記データパケットは指示情報を含み、前記指示情報は、前記データパケットが前記端末によって最初に伝送されるか、または前記データパケットが前記端末によって再送されるかを示すために使用される、処理回路と、
を備え、
前記端末によって次回送信されることになるデータパケットが、前記記憶されたアップリンク伝送リソースを使用することによって伝送されるか、または、再要求された際に前記ネットワーク側デバイスによって割り振られたアップリンク伝送リソースを使用することによって伝送されるかを示すために、前記指示情報がさらに使用される、通信チップ。
【請求項１６】
請求項10から14のいずれか一項に記載の前記ネットワーク側デバイスによって使用されるコンピュータソフトウェア命令を記憶するように構成された、コンピュータ記憶媒体であって、前記コンピュータソフトウェア命令は、コンピュータを請求項10から14のいずれか一項に記載のデバイスとして機能させるプログラムを含む、コンピュータ記憶媒体。
【請求項１７】
請求項3から9のいずれか一項に記載の前記端末によって使用されるコンピュータソフトウェア命令を記憶するように構成された、コンピュータ記憶媒体であって、前記コンピュータソフトウェア命令は、コンピュータを請求項3から9のいずれか一項に記載の端末として機能させるプログラムを含む、コンピュータ記憶媒体。
【請求項１８】
コンピュータ可読記憶媒体は命令を記憶し、前記命令がコンピュータ上で実行されるとき、前記コンピュータは請求項1または2に記載の方法を実行する、コンピュータ可読記憶媒体。
【発明の詳細な説明】
【技術分野】
【０００１】
本願は、2017年1月9日、中国国家知識産権局に出願された、「UPLINK TRANSMISSION METHOD, TERMINAL, AND NETWORK SIDE DEVICE」という名称の中国特許出願第201710015087.3号の優先権を主張し、その全体が参照により本明細書に組み込まれる。
【０００２】
本願は、ワイヤレス通信技術の分野に関し、詳細には、アップリンク伝送方法、端末、およびネットワーク側デバイスに関する。
【背景技術】
【０００３】
ロングタームエボリューション(Long Term Evolution、LTE)システムなどのワイヤレスセルラーネットワークシステムにおいて、アップリンクデータを送信する前に、端末は第1に、無線リソース制御接続モードに入るために基地局への無線リソース制御(Radio Resource Control、RRC)接続を確立し、次いで、スケジューリング要求(Scheduling Request、SR)を基地局に送信する必要がある。基地局が端末にアップリンクデータの送信を許可した場合、基地局は端末に許可命令を送信する。端末は、許可命令を受信した後にのみ、命令の要件に基づいて基地局にアップリンクデータを送信することができる。こうしたアップリンクデータ送信方法は、許可ベース伝送と呼ばれる。
【０００４】
許可ベース伝送（Grant-based transmission）には2つの欠点がある。1つの欠点は、レイテンシが相対的に大きいことである。本明細書におけるレイテンシとは、端末がアップリンクデータを送信する必要があると決定した瞬間から、端末がエアインターフェースを介してデータを送信する瞬間までのレイテンシである。もう1つの欠点は、非常に多数の端末が特定の期間内にアップリンクデータを送信する必要があるとき、スケジューリング要求および許可を送信するために非常に大量のアップリンクおよびダウンリンクの制御チャネルリソースが消費され、それにより、結果として、総ネットワークオーバーヘッドに対して相対的に高い割合の制御オーバーヘッドが生じることである(たとえば、電力およびエアインターフェースリソース)。許可ベース伝送のこの欠点は、端末のすべてのサービスが小規模データパケットサービスであるとき、特に明白である。
【０００５】
許可なし(grantfree、GF)伝送の基本的な考え方は、データが許可なしで送受信されることである。具体的に言えば、アップリンクデータを送信する必要がある旨を端末が決定すると、端末は、アップリンクスケジューリング要求を送信し基地局からの許可を受信するのを待機する必要なしに、データを直接処理し、次いで、処理されたデータを基地局に送信する。基地局がスケジューリングを実行する必要のある許可ベース伝送ソリューションに比べて、許可なし伝送においては、アップリンクスケジューリング要求を送信して基地局からの許可を受信するのを待機する必要がないため、伝送レイテンシを短縮し、レイテンシ要件を満たすことができる。
【０００６】
GF伝送を使用する場合、伝送の信頼性を向上させるために再送を使用することを考慮する必要がある。
【０００７】
可能な再送様式は、ACK/NACKフィードバックに基づくものであり、GF時間周波数リソースに関するデータ情報を基地局に送信した後、端末はデータパケットに関する基地局からのフィードバックを待つ。端末がNACKフィードバックを受信するか、またはACKフィードバックを受信しない場合、データパケットは期限満了しておらず、端末は、基地局によってデータパケットを正しく受信する可能性を増加させるために、データ情報を再送する。
【０００８】
別の可能な再送様式は、ACK/NACKフィードバックに基づかないものであり、GF時間周波数リソースに関するデータ情報を基地局に送信した後、端末は、基地局からACKを受信するかまたはデータパケットが期限満了するまで、次の使用可能なGF時間周波数リソースに関するデータパケットを再送する。
【０００９】
しかしながら、本発明者は、GF伝送の場合、再送されるデータは、基地局によって正しく受信および処理することができないことを発見した。したがって、許可なし伝送の信頼性は保証され得ない。
【発明の概要】
【課題を解決するための手段】
【００１０】
本願は、アップリンク伝送方法、端末、およびネットワーク側デバイスを説明する。
【００１１】
一態様によれば、本願の実施形態はアップリンク伝送方法を提供し、アップリンク伝送方法は、ネットワーク側デバイスによって、アップリンク伝送時間周波数リソースを端末に事前割振りすること、および、端末によって、ネットワーク側デバイスによって端末に割り振られたアップリンク伝送リソースを記憶すること、および、端末がデータパケットを送信する必要があるとき、端末によって、アップリンク伝送リソースを使用することにより、データパケットをネットワーク側デバイスに送信することを含み、データパケットは指示情報を含み、指示情報を使用して、データパケットが端末によって最初に伝送されるか、またはデータパケットが端末によって再送されるかを指示し、ネットワーク側デバイスは、アップリンク許可なし伝送の信頼性を向上させるために、データパケットを正しく受信すること、および、指示情報に基づいてデータパケットに対する処理の組み合わせを実行することが可能である。
【００１２】
本明細書において、端末がネットワーク側デバイスによって端末に事前割振りされたアップリンク伝送時間周波数リソースを記憶することは、ネットワーク側デバイスが複数の伝送リソースを事前割振りして端末デバイスに通知することを通常意味するため、端末がデータパケットを送信する必要があるとき、端末は、ネットワーク側デバイスに毎回割振りを要求する必要なしに、伝送リソースを直接使用してレイテンシを減少させることになる。特定の実装シナリオは、たとえば、許可なし伝送または半永続的スケジューリングである。
【００１３】
本明細書における指示情報は、制御情報を使用することによってネットワーク側デバイスに送信されるか、または、基準信号を使用することによって暗黙的に指示される。指示情報はいくつかのタイプのパラメータを含む。1つのタイプのパラメータは、現在伝送されているデータ情報が、最初に伝送されているかまたは再送されているかを示し、別のタイプのパラメータは、現在伝送されているデータ情報が、同期的に再送されているかまたは非同期的に再送されているかを示し、さらに別のタイプのパラメータは、現在の再送が適応再送であるかまたは非適応再送であるかを示し、さらに別のタイプのパラメータは、次回の端末の再送が許可ベース伝送であるかまたは許可なし伝送であるかを示す。
【００１４】
可能な実装において、最初に伝送されたデータパケットと再送されたデータパケットとの間の間隔のスロット量は、任意の値である。こうした適応再送の間、本願において指示情報を使用することによって最初に伝送される情報および再送される情報を指示する様式も、適用可能である。
【００１５】
可能な実装において、指示情報は、ハイブリッド自動再送要求(HARQ)プロセス識別情報(ID)、新規データインジケータ(NDI)、リソースブロック割り当て(RBA)インジケータ、リダンダンシバージョン(RV)、およびバッファステータス報告(BSR)という、パラメータのうちの1つまたは複数を含む。
【００１６】
指示情報が制御情報内で搬送される実装において、各パラメータに割り当てられる異なる値は、異なる伝送ステータスを表す。
【００１７】
HARQプロセスIDに使用される異なる値は、異なるHARQプロセスを表す。たとえば、HARQプロセスIDに割り当てられる値0は、端末がプロセスHARQ 0においてデータを伝送することを表し、HARQプロセスIDに割り当てられる値1は、端末がプロセスHARQ 1においてデータを伝送することを表す。
【００１８】
代替として、NDIに使用される異なる値は、最初に伝送されるデータパケットまたは再送されるデータパケットを表す。たとえば、NDIに割り当てられる値0は最初に伝送されるデータパケットを表し、NDIに割り当てられる値1は再送されるデータパケットを表すか、または、NDIに割り当てられる値1は最初に伝送されるデータパケットを表し、NDIに割り当てられる値0は再送されるデータパケットを表す。代替として、NDIの値がトグルされないかまたは以前の値と同じであるとき、NDIの値は最初に伝送されるデータパケットを表すか、あるいは、NDIの値がトグルされるかまたは以前の値と同じでないとき、NDIの値は再送されるデータパケットを表す。
【００１９】
代替として、リダンダンシバージョン(RV)に使用される異なる値は、再送回数(quantity of retransmission times)、および、最初に伝送されるデータパケットまたは再送されるデータパケットを表す。たとえば、RVに割り当てられる値0は、最初に伝送されるデータパケットを表し、RVに割り当てられる値1は1回目に再送されるデータパケットを表し、RVに割り当てられる値2は2回目に再送されるデータパケットを表す。代替として、RVの値がトグルされないかまたは以前の値と同じであるとき、RVの値は最初に伝送されるデータパケットを表すか、あるいは、RVの値がトグルされるかまたは以前の値と同じでないとき、RVの値は再送されるデータパケットを表す。
【００２０】
代替として、RBAに使用される異なる値は、最初に伝送されるデータおよび再送されるデータによって使用される異なる時間周波数リソースを表す。たとえば、RBAに割り当てられる値0は最初に伝送されるデータパケットを表し、RBAに割り当てられる値1は再送されるデータパケットを表すか、または、RBAに割り当てられる値1は最初に伝送されるデータパケットを表し、RBAに割り当てられる値2は再送されるデータパケットを表す。
【００２１】
代替として、バッファステータス報告(BSR)に使用される異なる値は、端末によって次回送信されることになるデータパケットが、記憶されたアップリンク伝送リソースを使用することによって伝送されること、すなわち許可なし伝送を表すか、または、端末によって次回送信されることになるデータパケットが、再要求された際にネットワーク側デバイスによって割り振られたアップリンク伝送リソースを使用することによって伝送されること、すなわち許可ベース伝送を表す。たとえば、BSRに割り当てられる値0は、次回送信されることになるデータパケットが、記憶されたアップリンク伝送リソースを使用することによって伝送されること、すなわち許可なし伝送を表し、BSRに割り当てられる値1は、次回送信されることになるデータパケットが、再要求された際にネットワーク側デバイスによって割り振られたアップリンク伝送リソースを使用することによって伝送されること、すなわち許可ベース伝送を表すか、あるいは、BSRに割り当てられる値1は、次回送信されることになるデータパケットが、記憶されたアップリンク伝送リソースを使用することによって伝送されること、すなわち許可なし伝送を表し、BSRに割り当てられる値0は、次回送信されることになるデータパケットが、再要求された際にネットワーク側デバイスによって割り振られたアップリンク伝送リソースを使用することによって伝送されること、すなわち許可ベース伝送を表す。代替として、BSRの値がトグルされないかまたは以前の値と同じであるとき、BSRの値は、次回送信されることになるデータパケットが記憶されたアップリンク伝送リソースを使用することによって伝送されること、すなわち許可なし伝送を表すか、または、BSRの値がトグルされるかまたは以前の値と同じでないとき、BSRの値は、次回送信されることになるデータパケットが、再要求された際にネットワーク側デバイスによって割り振られたアップリンク伝送リソースを使用することによって伝送されること、すなわち許可ベース伝送を表す。
【００２２】
本願において提供されるアップリンク伝送方法によれば、端末がデータパケットをネットワーク側デバイスに送信するとき、端末は、指示情報を使用することによって、現在伝送されているデータパケットが再送されるデータパケットであるか、または最初に伝送されるデータパケットであるかを、ネットワーク側デバイスに通知するため、ネットワーク側デバイスは、最初に伝送されるデータパケットと再送されるデータパケットとを正しく受信して、これらを効果的に組み合わせ、許可なし伝送の信頼性を向上させることができる。
【００２３】
別の態様によれば、本願の実施形態は端末を提供する。端末は、前述の方法設計において端末の挙動を実装する機能を有する。端末の機能は、トランシーバおよびプロセッサを含むハードウェアによって実装され得るか、または、ハードウェアによって対応するソフトウェアを実行することによって実装され得る。ハードウェアまたはソフトウェアは、前述の機能に対応する1つまたは複数のモジュールを含む。モジュールは、ソフトウェアおよび/またはハードウェアであり得る。
【００２４】
さらに別の態様によれば、本願は端末を提供し、端末は、
ネットワーク側デバイスによって端末に割り振られたアップリンク伝送リソースを記憶するように構成されるメモリと、
端末がデータパケットを送信する必要があるとき、メモリ内に記憶されたアップリンク伝送リソースを使用することによって、データパケットをネットワーク側デバイスに送信するように構成されるトランシーバであって、データパケットは指示情報を含み、指示情報は、データパケットが端末によって最初に伝送されるか、またはデータパケットが端末によって再送されるかを示すために使用される、トランシーバと、
を含む。
【００２５】
さらに別の態様によれば、本願はネットワーク側デバイスを提供し、ネットワーク側デバイスは、
事前割振りされたアップリンク伝送リソースを使用することによって、端末によってネットワーク側デバイスに送信されたデータパケットを受信するように構成されるトランシーバであって、データパケットは指示情報を含み、指示情報は、データパケットが端末によって最初に伝送されるか、またはデータパケットが端末によって再送されるかを示すために使用される、トランシーバと、
指示情報に基づいてデータパケットに対する組み合わせ処理を実行するように構成されるプロセッサと、
を含む。
【００２６】
さらに別の態様によれば、本願の実施形態は基地局を提供する。基地局は、前述の方法設計において基地局の挙動を実装する機能を有する。機能は、ハードウェアによって実装され得るか、またはハードウェアによって対応するソフトウェアを実行することによって実装され得る。ハードウェアまたはソフトウェアは、前述の機能に対応する1つまたは複数のモジュールを含む。
【００２７】
可能な設計において、基地局の構造はプロセッサおよびトランシーバを含む。プロセッサは、前述の方法において対応する機能を実行する際に、基地局をサポートするように構成される。トランシーバは、基地局と端末との間の通信をサポートし、前述の方法において情報またはシグナリングを端末に送信し、基地局によって送信された情報または命令を受信するように構成される。基地局はメモリをさらに含み得、メモリは、プロセッサに結合され、基地局に必要なプログラム命令およびデータを記憶するように構成される。
【００２８】
さらなる態様によれば、本願の実施形態は制御ノードを提供する。制御ノードは、コントローラ/プロセッサ、メモリ、および通信ユニットを含み得る。コントローラ/プロセッサは、複数の基地局の間のリソース管理および構成を調整するように構成され得、前述の実施形態においてデータ情報を組み合わせる方法を実行するように構成され得る。メモリは、制御ノードのプログラムコードおよびデータを記憶するように構成され得る。通信ユニットは、基地局との通信の際、たとえば、構成されたリソースに関する情報を基地局に送信する際に、制御ノードをサポートするように構成される。
【００２９】
さらなる態様によれば、本願の実施形態は通信システムを提供する。システムは、前述の態様における基地局および端末を含む。一実装において、システムは、前述の実施形態における制御ノードをさらに含み得る。
【００３０】
さらなる態様によれば、本願の実施形態はコンピュータ記憶媒体を提供する。コンピュータ記憶媒体は、前述の基地局によって使用されるコンピュータソフトウェア命令を記憶するように構成され、コンピュータソフトウェア命令は、前述の態様を実行するように設計されたプログラムを含む。
【００３１】
さらなる他の態様によれば、本願の実施形態はコンピュータ記憶媒体を提供する。コンピュータ記憶媒体は、前述の端末によって使用されるコンピュータソフトウェア命令を記憶するように構成され、コンピュータソフトウェア命令は、前述の態様を実行するように設計されたプログラムを含む。
【００３２】
本願において提供される端末およびネットワーク側デバイスによれば、端末がデータパケットをネットワーク側デバイスに送信するとき、端末は、指示情報を使用することによって、現在伝送されているデータパケットは再送されるデータパケットであるかまたは最初に伝送されるデータパケットであるかを、ネットワーク側デバイスに通知するため、ネットワーク側デバイスは、最初に伝送されるデータパケットおよび再送されるデータパケットを正しく受信して、これらを効果的に組み合わせ、許可なし伝送の信頼性を向上させることができる。
【００３３】
本願の実施形態をより明白に説明するために、下記で、実施形態を説明するために必要な添付の図面を簡単に説明する。明らかなように、下記の説明において、添付の図面は単に本願のいくつかの実施形態を示すものであり、当業者であれば、これらの添付の図面から創造的な努力なしに他の図面を導出することも可能であろう。
【図面の簡単な説明】
【００３４】
【図１】本願の実施形態による、将来のネットワークのシナリオを示す概略図である。
【図２】本願の実施形態による、通信システムを示す概略アーキテクチャ図である。
【図３】本願の実施形態による、ネットワーク側デバイスおよび端末を示す概略構造図である。
【図４】本願の実施形態による、アップリンク伝送に使用される時間周波数リソースを示す概略構造図である。
【図５】本願の実施形態による、アップリンク伝送方法を示す概略フローチャートである。
【図６】本願の実施形態による、アップリンク伝送方法の実施形態1を示す概略図である。
【図７】本願の実施形態による、アップリンク伝送方法の実施形態2を示す概略図である。
【図８】本願の実施形態による、アップリンク伝送方法の実施形態3を示す概略図である。
【図９】本願の実施形態による、アップリンク伝送方法の実施形態3を示す別の概略図である。
【図１０】本願の実施形態による、アップリンク伝送方法の実施形態4を示す概略図である。
【図１１】本願の実施形態による、アップリンク伝送方法の実施形態4を示す別の概略図である。
【図１２】本願の実施形態による、アップリンク伝送方法の実施形態5、6、および7における基準信号のパターンを示す概略図である。
【発明を実施するための形態】
【００３５】
下記で、本願の実施形態における添付の図面を参照しながら、本願の実施形態における技術的ソリューションを説明する。
【００３６】
新規の通信要件は、技術およびビジネスモデルに関して既存のネットワークに課題を提起し、次世代モバイルネットワーク(Next Generation Mobile Network、NGMN)はこれらの要件を満たす必要がある。図1に示されるように、NGMNのメインモバイルネットワークサービスは、拡張モバイルブロードバンド(eMBB、Enhanced Mobile Broadband)、超高信頼低遅延通信(URLLC、Ultra-reliable and Lowlatency Communications)、および大容量マシンタイプ通信(mMTC、Massive Machine Type Communications)の、3つのシナリオに分類される。
【００３７】
mMTCは、デジタル社会に対する人々の需要を満たすために、スマートシティまたはスマート農業などの、接続密度に関する相対的に高い要件を有するシナリオをカバーする。シナリオの典型的な特徴は大容量接続であり、具体的に言えば、莫大な数の端末が存在し、サービスタイプは主に小規模データパケットサービスであり、低レイテンシのための特定の要件が存在する。
【００３８】
URLLCは、自動運転/アシスト運転などの、レイテンシに対して極端に敏感なサービスに焦点を置いている。車両のインターネット、無人運転、および産業用制御などのサービスの場合、システム容量は大きな問題ではないが、レイテンシおよび信頼性については高要件が存在する。
【００３９】
前述の2つのシナリオにおいて、許可なし伝送は、許可ベース伝送よりも優れたより適用可能なアップリンクデータ伝送方法であると見なされる。基地局がスケジューリングを実行する必要がある許可ベース伝送ソリューションに比べて、許可なし伝送では、アップリンクスケジューリング要求を送信して基地局からの許可を待つ必要がないため、伝送レイテンシは大幅に短縮され、レイテンシ要件を満たすことができる。
【００４０】
LTEシステムにおいて、許可ベース伝送が実行されるとき、端末の再送プロセスで使用される時間周波数リソースに関する情報などは、基地局によって決定された後、端末に通知される。したがって基地局は、決定された時間周波数リソースのロケーションにおいてデータパケットを正しく受信し、データパケットを処理することができる。具体的には、基地局は、物理ダウンリンク制御チャネル(Physical Downlink Control Channel、PDCCH)または拡張物理ダウンリンク制御チャネル(Enhanced Physical Downlink Control Channel、EPDCCH)を使用することによって、時間周波数リソースを端末に通知するか、あるいは、同期再送方法を使用することによって、異なるハイブリッド自動再送要求(Hybrid Automatic Repeat request、HARQ)プロセスを区別する。アップリンクGF伝送の場合、基地局は、事前合意または半永続的スケジューリングを介して、端末によって使用されるGFリソースを決定し得る。しかしながら、基地局は、許可なし伝送の間に許可命令を送信する必要がないため、事前合意または半永続的スケジューリングを介してGFリソースを決定することができず、その結果、基地局は、端末によって送信されたデータパケットが最初に伝送されたデータパケットであるかまたは再送されたデータパケットであるかを習得できず、端末が、同期再送または非同期再送、あるいは適応再送または非適応再送の、いずれを使用しているかを習得することもできない。したがって、再送されたデータを効率的および効果的に処理することができず、その結果、伝送信頼性を保証することができない。
【００４１】
前述のURLLCおよびmMTCシナリオにおいて、許可なし伝送の信頼性を保証するために、本願の実施形態はアップリンク伝送技術を提供する。確かに、本願において提供される技術的ソリューションの適用は、URLLCおよびmMTCシナリオに限定されてはいない。本願において提供されるアップリンク伝送方法、端末、およびネットワーク側デバイスは、基地局がスケジューリングを実行する必要のない任意の許可なし伝送シナリオに適用可能である。
【００４２】
説明しやすいように、本明細書において、許可なし伝送は英語でgrant-free transmission、略してGF transmissionと表される。しかしながら許可なし伝送は、別の表現様式、たとえばgrantless transmissionも有し得る。本明細書において、許可なし伝送の意味はこれに限定されない。本明細書において、許可なし伝送は特別な名前ではなく、本願の本質から逸脱することなく、実際の適用例において別の名前を有し得ることを理解されよう。許可なし伝送は、通常、アップリンク信号の伝送に特有であり、以下の意味のうちの1つまたは複数として理解され得、これらの意味に限定されない。たとえば、許可なし伝送は、代替として、以下の意味または他の同様の意味におけるいくつかの技術的特徴の組み合わせとして理解されよう。
【００４３】
(1)許可なし伝送は以下の通りであり得る:ネットワーク側デバイスは複数の伝送リソースを端末デバイスに事前に割り振り、通知する:端末デバイスがアップリンク信号を伝送する必要があるとき、端末デバイスは、ネットワーク側デバイスによって事前割振りされた複数の伝送リソースから少なくとも1つの伝送リソースを選択し、選択された伝送リソースを使用することによって、アップリンク信号を送信する:およびネットワーク側デバイスは、複数の事前割振りされた伝送リソースのうちの1つまたは複数上で、端末デバイスによって送信されたアップリンク信号を検出する。検出は、ブラインド検出であり得、またはアップリンク信号において制御フィールドに基づいて実行される検出であり得、または別の様式の検出であり得る。
【００４４】
(2)許可なし伝送は以下の通りであり得る:ネットワーク側デバイスは複数の伝送リソースを端末デバイスに事前に割り振り、通知するため、端末デバイスがアップリンク信号を伝送する必要があるとき、端末デバイスは、ネットワーク側デバイスによって事前割振りされた複数の伝送リソースから少なくとも1つの伝送リソースを選択し、選択された伝送リソースを使用することによって、アップリンク信号を送信することになる。
【００４５】
(3)許可なし伝送は以下の通りであり得る:複数の事前割振りされた伝送リソースに関する情報が取得され、アップリンク信号を伝送する必要があるとき、複数の伝送リソースから少なくとも1つの伝送リソースが選択され、選択された伝送リソースを使用することによって、アップリンク信号が送信される。複数の事前割振りされた伝送リソースに関する情報は、ネットワーク側デバイスから取得され得る。
【００４６】
(4)許可なし伝送は、ネットワーク側デバイスによって動的スケジューリングを実行する必要なしに、端末デバイスのアップリンク信号伝送が実装可能な方法であり得、動的スケジューリングは、ネットワーク側デバイスが、シグナリングを使用することによって、端末デバイスのアップリンク信号伝送毎に伝送リソースを示す、スケジューリング様式であり得る。任意選択として、端末デバイスのアップリンク信号伝送の実装は、2つ以上の端末デバイスのデータを同じ時間周波数リソース上で伝送可能にすることとして理解され得る。任意選択として、伝送リソースは、端末デバイスがシグナリングを受信した直後の、1つまたは複数の伝送時間単位の伝送リソースであり得る。伝送時間単位とは、1回の伝送の最小時間単位であり得、たとえば、値が1msであり得るか、またはプリセット伝送時間単位であり得る、TTI(Transmission Time Interval)であり得る。
【００４７】
(5)許可なし伝送は以下の通りであり得る:端末デバイスは、ネットワーク側デバイスからの許可の必要なしにアップリンク信号を伝送する。許可は以下の通りであり得る:端末デバイスは、アップリンクスケジューリング要求をネットワーク側デバイスに送信し、スケジューリング要求を受信した後、ネットワーク側デバイスはアップリンク許可を端末デバイスに送信し、アップリンク許可は端末デバイスに割り振られたアップリンク伝送リソースを示す。
【００４８】
(6)許可なし伝送は競合ベース伝送様式であり得、具体的には以下の通りであり得る:複数の端末は、ネットワーク側デバイスからの許可の必要なしに、事前割振りされた同じ時間周波数リソースのうちのいくつかまたはすべての上で、アップリンク信号を同時に伝送する。
【００４９】
(7)許可なし伝送は以下の通りであり得る:ネットワーク側デバイスは、端末について、許可なしアップリンク信号伝送専用のいくつかのアップリンク伝送時間周波数リソースを指定する。
【００５０】
(8)許可なし伝送は以下の通りであり得る:端末は、アップリンク伝送時間周波数リソースをスケジューリングするようにネットワーク側デバイスに要求し、アップリンク伝送時間周波数リソースを使用することによってアップリンク伝送を実行した後、端末は、アップリンク伝送時間周波数リソースを保持する:その後、端末がアップリンク伝送を実行する必要があるとき、端末は、端末がアップリンク伝送を実行するたびに、アップリンク伝送時間周波数リソースをスケジューリングするようにネットワーク側デバイスに再び要求する必要なしに、この部分のアップリンク伝送時間周波数リソースを直接使用する。
【００５１】
データは、サービスデータまたはシグナリングデータを含み得る。
【００５２】
ブラインド検出は、予め到着するデータがあるかどうかがわからないとき、到着する可能性のあるデータに関して実行されるべき検出として理解され得る。ブラインド検出は、代替として、明示的シグナリングを使用することによって指示なしに実行されるべき検出としても理解され得る。
【００５３】
伝送リソースは、以下のリソースのうちの1つまたはこれらの組み合わせを含み得るが、限定されない。
無線フレーム、サブフレーム、またはシンボルなどの、時間領域リソース
サブキャリアまたはリソースブロックなどの、周波数領域リソース
伝送アンテナまたはビームなどの、空間領域リソース
散在符号多重接続(英フルネーム: Sparse Code Multiple Access、略してSCMA)コードブック、低密度署名(英フルネーム: Low Density Signature、略してLDS)シーケンス、およびCDMAコードなどの、符号領域リソース、および、
アップリンクパイロットリソース
【００５４】
本願において提供される技術的ソリューションは、URLLCおよびmMTCシナリオに適用可能であるが、この2つのシナリオのみに限定されない。本願において提供されるアップリンク伝送方法、端末、およびネットワーク側デバイスは、基地局がスケジューリングを実行する必要のない任意の伝送シナリオに適用可能である
【００５５】
本願の本実施形態において提供されるアップリンク許可なし伝送技術をさらに説明するために、本明細書では、本願の本実施形態において提供されるアップリンク許可なし伝送技術に関する通信システムを、第一に説明する。
【００５６】
図2に示されるように、本願の実施形態は通信システム100を提供する。通信システム100は、少なくとも1つの基地局(base station、BS)20、および複数の端末、たとえば、端末1、端末2、端末3、および端末4を含む。これらの端末は、D2D(Device to Device、デバイス対デバイス)通信に使用される端末、たとえば端末3および端末4であり得、または、セルラー通信に使用される端末、たとえば端末1、端末2、および端末4であり得る。セルラー通信は、端末と基地局との間の通信である。確かに、いくつかの端末は、セルラー通信にのみ使用されるのではなく、D2D通信用のD2D通信端末としても使用され得る。たとえば端末4は、セルラー通信にのみ使用されるのではなく、D2D通信用にも使用され得る。
【００５７】
セルラー通信の間、端末1は、RRC接続モードに入るためにBS20へのRRC接続を確立し、その後、SRをBS20に送信する。BS20が、端末1がアップリンクデータを送信できるようにする場合、BS20は許可命令を端末1に送信する。端末1は、許可命令を受信した後にのみ、命令の要件に基づいてアップリンクデータをBS20に送信することができる。端末1とBS20との間でのアップリンクデータの伝送は、許可ベース伝送である。
【００５８】
端末2は、RRC接続モードに入るためにBS20へのRRC接続を確立し、その後、BS20によって割り振られたアップリンク伝送リソースに基づいて、伝送信号および対応する許可なし伝送構成メッセージを生成し、BS20からの許可なしにアップリンクデータをBS20に直接送信する。端末2とBS20との間のアップリンクデータの伝送は、許可なし伝送である。
【００５９】
本願の本実施形態において、BS20に接続された制御ノード60は、システム内のリソース上で統合スケジューリングを実行する、端末のためのリソースを構成する、リソース再利用に関して決定する、干渉調整を実行する、などが可能である。
【００６０】
本願の本実施形態において、通信システム100は、符号分割多重アクセス(Code Division Multiple Access、CDMA)システム、時分割多重アクセス(Time Division Multiple Access、TDMA)システム、周波数分割多重アクセス(Frequency Division Multiple Access、FDMA)システム、直交周波数分割多重アクセス(orthogonal frequencydivision multiple access、OFDMA)システム、シングルキャリア周波数分割多重アクセス(single carrier FDMA、SC-FDMA)システム、および別のシステムなどの、様々な無線アクセス技術(radio access technology、RAT)を備えるシステムであり得る。「システム」という用語は、「ネットワーク」という用語と交換可能である。CDMAシステムは、ユニバーサル地上無線アクセス(Universal Terrestrial Radio Access、UTRA)およびCDMA2000などの、無線技術を実装可能である。UTRAは、広帯域CDMA(wideband CDMA、WCDMA（登録商標）)技術および別のCDMA技術変形形態を含み得る。CDMA2000は、暫定標準(Interim Standard、IS) 2000 (IS-2000)、IS-95、およびIS-856をカバーすることができる。TDMAシステムは、グローバル・システム・フォー・モバイル・コミュニケーション(Global System for Mobile Communications、GSM（登録商標）)などの、無線技術を実装することができる。OFDMAシステムは、発展型ユニバーサル地上無線アクセス(evolved UTRA, E-UTRA)、ウルトラモバイルブロードバンド(Ultra Mobile Broadband、UMB)、IEEE 802.11 (Wi-Fi)、IEEE 802.16 (WiMAX)、IEEE 802.20およびFlash OFDMAなどの、無線技術を実装することができる。UTRAおよびE-UTRAは、UMTSおよびUMTSの発展版に対応する。3GPP標準において、ロングタームエボリューション(Long Term Evolution、LTE)および様々なLTEベースの発展版は、E-UTRAを使用するUMTSの新版である。
【００６１】
加えて、通信システム100は、将来が保証された通信技術にも適用可能であり得る。新規通信技術およびセルラー通信技術を使用するすべての通信システムは、本願の本実施形態において提供される技術的ソリューションに適応可能である。
【００６２】
本願の本実施形態において説明するシステムアーキテクチャおよびサービスシナリオは、本願の本実施形態における技術的ソリューションをより明白に説明することが意図され、本願の本実施形態において提供される技術的ソリューションに関していかなる制限も制定しない。当業者であれば、ネットワークアーキテクチャの発展および新規サービスシナリオの出現により、本願の本実施形態において提供される技術的ソリューションは、同様の技術的問題にも適用可能であることがわかるであろう。
【００６３】
本願の本実施形態において、基地局は、無線アクセスネットワーク内に配置され、端末にワイヤレス通信機能を提供するように構成された、装置である。基地局は、マクロ基地局、マイクロ基地局(スモールセルとも呼ばれる)、中継局、アクセスポイント、様々な形の同様のものなどを含み得る。異なる無線アクセス技術を使用するシステムにおいて、基地局の機能を有するデバイスは異なる名前を有し得る。たとえば、LTEシステムにおいて、デバイスは発展型ノードB(evolved NodeB、eNB、またはeNodeB)と呼ばれ、第3世代(3rd Generation, 3G)システムにおいて、デバイスはノードB(NodeB)と呼ばれる。説明しやすいように、本願のすべての実施形態において、端末にワイヤレス通信機能を提供する装置は、まとめて基地局またはBSと呼ばれる。
【００６４】
図2に示される通信システムにおいて、制御ノードは、複数の基地局に接続され得、複数の基地局によってカバーされる複数のD2D端末およびセルラー端末のためのリソースを構成し得る。たとえば、基地局はUMTSシステムにおけるNodeBであり得、制御ノードはネットワークコントローラであり得る。別の例の場合、基地局はスモールセルであり得、制御ノードはスモールセルをカバーするマクロ基地局であり得る。別の例の場合、制御ノードはワイヤレスネットワークRAT間調整コントローラなどであり得、基地局はワイヤレスネットワーク内の基地局である。本願の本実施形態において、これは限定されない。
【００６５】
図3は、本願の実施形態による、端末およびネットワーク側デバイスの概略構造図である。
【００６６】
本願の本実施形態におけるネットワーク側デバイスは、改良されたシステムと、従来のワイヤレス電気通信システムにおけるピアデバイスのデバイスとを含み得る。こうした、高度または次世代デバイスは、発展型ワイヤレス通信標準(たとえば、Long Term Evolution (LTE))に含まれ得る。たとえば、LTEシステムは、従来の基地局の代わりに、発展型ユニバーサル地上無線アクセスネットワーク(E-UTRAN)ノードB(eNB)、無線アクセスポイント、または同様のコンポーネントを含み得る。このタイプの任意のコンポーネントは、本明細書においてeNBと呼ばれる。しかしながら、このタイプのコンポーネントはeNBでない場合があることを理解されたい。次世代通信システムでは、LTEシステムにおいて「eNB」の代わりに「gNB」が使用される。
【００６７】
具体的に言えば、ネットワーク側デバイスは、図2におけるBS20または制御ノード60であり得、端末は、図3における端末1、端末2、または端末3のうちの1つまたは複数であり得る。
【００６８】
本願の本実施形態において提供される端末は、トランシーバ10およびプロセッサ11を含み、端末は、メモリ12およびシステムバス13をさらに含み得る。メモリ12はコンピュータ実行可能命令を記憶し、システムバス13は、プロセッサ11、トランシーバ10、メモリ12などに接続される。ネットワーク側デバイスはトランシーバ20およびプロセッサ21を含み、ネットワーク側デバイスは、メモリ22およびシステムバス23をさらに含み得る。メモリ22はコンピュータ実行可能命令を記憶し、システムバス23はプロセッサ21、トランシーバ20、メモリ22などに接続される。端末のトランシーバ10は、アンテナを使用することによって、データパケットおよび対応する指示情報を、ネットワーク側デバイスのトランシーバ20に送信する。ネットワーク側デバイスのトランシーバ20は、アンテナを使用することによって、端末のトランシーバ10によって送信されるデータパケットおよび対応する指示情報を受信する。
【００６９】
端末のプロセッサ11およびネットワーク側デバイスのプロセッサ21は、中央処理ユニット(central processing unit、略してCPU)、ネットワークプロセッサ(network processor、略してNP)、またはCPUおよびNPの組み合わせであり得ることに留意されたい。プロセッサは、ハードウェアチップをさらに含み得る。ハードウェアチップは、特定用途向け集積回路(application-specific integrated circuit、略してASIC)、プログラマブル論理デバイス(programmable logic device、略してPLD)、またはそれらの組み合わせであり得る。PLDは、複合プログラマブル論理デバイス(complex programmable logic device、略してCPLD)、フィールドプログラマブルゲートアレイ(field-programmable gate array、略してFPGA)、汎用アレイ論理(generic array logic、略してGAL)、またはそれらの任意の組み合わせであり得る。
【００７０】
端末のメモリ12およびネットワーク側デバイスのメモリ22は、揮発性メモリ(volatile memory)、たとえば、ランダムアクセスメモリ(random access memory、略してRAM)を含み得、代替として、不揮発性メモリ(nonvolatile memory)、たとえばフラッシュメモリ(flash memory)、ハードディスクドライブ(hard disk drive、略してHDD)、またはソリッドステートドライブ(solid-state drive、SSD)を含み得る。代替として、メモリは前述のタイプのメモリの組み合わせを含み得る。
【００７１】
本願の本実施形態における端末は、ハンドヘルドデバイス、車両内デバイス、ウェアラブルデバイス、およびコンピューティングデバイス、または、ワイヤレスモデムに接続される別の処理デバイスなどの、ワイヤレス通信機能を有する様々なデバイスを含み得る。端末は、移動局(mobile station、略してMS)と呼ぶこともできる。端末(terminal)は、加入者ユニット(subscriber unit)、携帯電話(cellular phone)、スマートフォン(smartphone)、ワイヤレスデータカード、携帯情報端末(personal digital assistant、PDA)コンピュータ、タブレットコンピュータ、ワイヤレスモデム(modem)、ハンドヘルド(handheld)デバイス、ラップトップコンピュータ(laptop computer)、コードレスフォン(cordless phone)またはワイヤレスローカルループ(wireless local loop、WLL)ステーション、マシンタイプ通信(machine type communication、MTC)端末などを、さらに含み得る。説明しやすいように、前述のデバイスは、本願のすべての実施形態においてまとめて端末と呼ばれる。
【００７２】
前述の通信システムにおける、本願の実施形態において提供されるアップリンク伝送方法の特定の実装プロセスを説明するために、本明細書において、アップリンク伝送の間に時間周波数リソースを使用することによって送信されるデータパケットの構造を、第1に説明する。
【００７３】
図4に示されるように、端末(たとえば、図2における通信システム100内の端末1および端末2)から、ネットワーク側デバイス(たとえば、図2における基地局BS20)への、アップリンクデータ伝送の間に、2つの可能なデータパケット構造が存在する。
【００７４】
第1のタイプのデータパケット構造は、基準信号(RS、Reference Signal)、制御情報、およびデータ情報の、3つの部分を含み、第2のタイプのデータパケット構造は、基準信号およびデータ情報の、2つの部分を含む。いくつかのデータパケット構造は、プリアンブル(Preamble)シーケンスをさらに含む。しかしながら、プリアンブルシーケンスと基準信号との間には機能に関する明白な差は存在せず、したがって、プリアンブルシーケンスは1つのタイプの基準信号と見なすことができる。アップリンク伝送の間に使用される、データパケット構造のタイプにかかわらず、時分割多重化または周波数分割多重化、あるいは時分割多重化と周波数分割多重化との両方を、制御情報、データ情報、および基準信号に対して実行することができる。
【００７５】
アップリンク伝送における問題を解決するために、本願の本実施形態は、少なくとも以下の2つのソリューションを提供する。第1のソリューションは以下の通りである:データパケットが送信されるとき、データ情報がデータチャネル上で送信される場合、指示情報は制御情報内で搬送される。第2のソリューションは以下の通りである:データパケットが送信されるとき、データ情報がデータチャネル上で送信される場合、指示情報は基準信号を使用することによって暗黙的に指示される。
【００７６】
本願の本実施形態における指示情報は、いくつかのタイプのパラメータを含む。1つのタイプのパラメータ、たとえば、新規のデータインジケータ(new data indicator、NDI)およびリダンダンシバージョン(Redundancy Version、RV)は、現在伝送されているデータパケットが最初に伝送されたデータパケットであるか、または再送されたデータパケットであるかを示す。別のタイプのパラメータ、たとえば、ハイブリッド自動再送要求(Hybrid Automatic Repeat request、HARQ)プロセス識別情報(Identity、ID)は、現在伝送されているデータパケットが同期再送されたデータパケットであるか、または非同期再送されたデータパケットであるかを示す。さらに別のタイプのパラメータ、たとえば、リソースブロック割り当て(Resource Block Assignment、RBA)インジケータおよびバッファステータス報告(Buffer Status Report、BSR)は、現在伝送されているデータパケットが適応的に再送されているデータパケットであるかまたは非適応的に再送されているデータパケットであるかを示す。
【００７７】
図2および図3に示される実施形態における通信システム内で実装される、アップリンク許可なし伝送手順が図5に示され、以下のステップを含む。
【００７８】
方法実施形態についての前提条件は、ネットワーク側デバイスによって端末に割り振られたアップリンク伝送リソースを、端末が記憶することである。
【００７９】
言い換えれば、ステップ100において、端末のメモリ12が、ネットワーク側デバイスによって端末に割り振られたアップリンク伝送リソースを事前に記憶する。
【００８０】
ステップ101:端末がアップリンク許可なし伝送を実行するとき、端末のトランシーバ10は、メモリ12内に記憶されたアップリンク伝送リソースを使用することによって、データパケットをネットワーク側デバイスに送信し、データパケットは指示情報を含み、指示情報は、データパケットが端末によって最初に伝送されるか、またはデータパケットが端末によって再送されるかを示すために使用される。
【００８１】
ステップ102:ネットワーク側デバイスのトランシーバ20が、事前割振りされたアップリンク伝送リソースを使用することによって、端末によってネットワーク側デバイスに送信されたデータパケットを受信した後、ネットワーク側デバイスのプロセッサ21は、指示情報に基づいてデータパケットに対する組み合わせ処理を実行するように構成される。
【００８２】
本願の本実施形態におけるアップリンク伝送方法の特定の実装を、以下の異なる実施形態において説明する。本願のすべての実施形態において、データパケットは、データチャネル上で伝送されるデータ情報、制御チャネル上で伝送される制御情報、および、基準信号を含むか、または、プリアンブルシーケンスなどをさらに含み得ることに留意されたい。
【００８３】
指示情報が制御情報内で搬送される実装において、制御情報は、最初に伝送されるデータパケットおよび再送されるデータパケットによって共同で使用されるアップリンク伝送リソース上で伝送され得る。
【００８４】
加えて、本願の実施形態では、同期再送および非同期再送もサポートされる。言い換えれば、最初に伝送されるデータと再送されるデータとの間の間隔のスロットの量は、任意の値であってよい。さらに、本願の実施形態において、最初に伝送されるデータパケットと再送されるデータパケットとを組み合わせることは、チェイス合成(Chase Combining、CC)およびインクリメンタルリダンダンシ(Incremental Redundancy、IR)を含む。CCは、再送されるデータパケットの移送ブロックおよび最初に伝送されるデータパケットの移送ブロックが、同じレートマッチング様式、すなわち、同一の情報ビットおよびチェックビットを使用することを意味する。IR組み合わせは、再送されるデータパケットの移送ブロックおよび最初に伝送されるデータパケットの移送ブロックが、異なるレートマッチング様式、すなわち、異なる情報ビットおよびチェックビットを使用することを意味する。CCは動作がシンプルであり、IR組み合わせは性能における利点を有する。異なるレートマッチング様式を区別するために、通常、異なるリダンダンシバージョンRVが使用される。
【００８５】
以下の実施形態を、端末が基地局へのアップリンク伝送を実行する例を使用することによって説明する。端末から、制御ノードなどの別のネットワーク側デバイスへのアップリンク伝送も同様であり、本明細書において詳細は説明しない。
【００８６】
実施形態1
端末が基地局へのアップリンク伝送を実行するとき、制御情報内で搬送される指示情報は、複数のデータパケットが同時に伝送される場合に複数のデータパケットをどのように組み合わせるかの問題を解決するためのHARQプロセスIDを含む。
【００８７】
図6に示されるように、端末は、n番目のスロット内で第1のデータパケットを伝送し、(n+1)番目のスロット内で第2のデータパケットを伝送し、(n+3)番目のスロット内で第1のデータパケットを再送し、(n+4)番目のスロット内で第2のデータパケットを再送し、(n+6)番目のスロット内で第3のデータパケットおよび第4のデータパケットを伝送する。
【００８８】
データパケットはすべてGF様式で伝送される。データパケット内のデータ情報はデータチャネル上で伝送され、制御情報は制御チャネル上で伝送され、制御情報内で搬送される指示情報はHARQプロセスIDを含むため、基地局はデータパケットに対応するプロセスIDを決定することになる。同じIDを有する同じプロセスの場合、基地局は、プロセス内で伝送される最初に伝送されるデータパケットと再送されるデータパケットとを組み合わせることができる。
【００８９】
最初に伝送されるデータパケットと再送されるデータパケットとを区別するために、端末によって制御情報に追加される指示情報は、リダンダンシバージョン(RV)をさらに含む。端末は、最初に伝送されるデータ、再送されるデータ、および再送回数を示すために、リダンダンシバージョン(RV)に異なる値を割り当てる。たとえば、RV=0は最初に伝送されるデータパケットを示し、RV=1、またはRVが別の値に等しいことは、再送されるデータパケットを示す。別の例の場合、RV=1、またはRVが別の値に等しいことは、最初に伝送されるデータパケットを示し、RV=0は再送されるデータパケットを示す。RVの値は、さらに再送回数も示し得る。たとえば、RV=2は2回目の再送を示し、RV=3は3回目の再送を示す。こうした指示様式は単なる例であり、別の指示様式が可能であって、たとえば指示のために文字が使用される。
【００９０】
n番目のスロットにおいて、制御情報内の対応するビットがID=0およびRV=0を示すことを基地局が検出した場合、これは、データパケットがHARQプロセス0において最初に伝送されるデータパケットであることを示し、(n+3)番目のスロットにおいて、制御情報内の対応するビットがID=0およびRV=1を示すことを基地局が検出した場合、これは、データパケットがHARQプロセス0において再送されるデータパケットであることを示す。n番目のスロット内のデータパケットおよび(n+3)番目のスロット内のデータパケットが、組み合わせ可能であることを示す。同様に、(n+1)番目のスロット内および(n+4)番目のスロット内で、基地局によって受信されるデータパケットも組み合わせ可能である。基地局が(n+6)番目のスロット内で2つのデータパケットを同時に受信する場合、基地局は、制御情報内の対応するビットを使用することによって、2つのデータパケットに対応するHARQプロセスIDを決定し得る。
【００９１】
別の実装において、異なるHARQプロセス、最初に伝送されるデータパケット、および再送されるデータパケットを表すために、他の異なる文字が使用され、本明細書においてこれらの文字は単なる例である。本願の実施形態において、HARQプロセス、最初に伝送されるデータパケット、および再送されるデータパケットを示す様式は、これらに限定されない。
【００９２】
複数のデータパケットの同時伝送をサポートするために、HARQプロセスの量は2より大きくてよいことに留意されたい。
【００９３】
本願の本実施形態によれば、HARQプロセスIDおよび/またはリダンダンシバージョン(RV)を含む指示情報は制御情報内で搬送されるため、データパケットを受信するとき、基地局は、データパケットからの対応するHARQプロセスIDを正確に解析し、いずれのデータパケットが最初に伝送されるデータパケットであり、いずれのデータパケットが再送されるデータパケットであるかを決定して、同じIDに対応するプロセスにおいて最初に伝送されるデータパケットおよび再送されるデータパケットを組み合わせることが可能であり、それによって、再送処理効果を実質的に向上させ、アップリンク伝送の信頼性を向上させる。
【００９４】
実施形態2
端末が基地局へのアップリンク伝送を実行するとき、同じHARQプロセス内で、最初に伝送されるデータパケットおよび再送されるデータパケットをどのように決定するかの問題を解決するために、制御情報内で搬送される指示情報はNDIを含む。
【００９５】
実施形態1で述べたように、RVを使用して、最初に伝送されるデータパケットと再送されるデータパケットとを区別することができる。しかしながら、CCソリューションが使用されるとき、最初に伝送されるデータパケットおよび再送されるデータパケットは同じRVを使用し、この場合、最初に伝送されるデータパケットまたは再送されるデータパケットを示すために、NDIを使用する必要がある。
【００９６】
図7に示されるように、RV=0はデータパケットの最初の伝送および再送の両方に使用され、データパケットが最初に伝送されるデータパケットであるかまたは再送されるデータパケットであるかを示すために、NDIが使用される。NDIは2つの可能な指示様式を有する。
【００９７】
図7(a)に示されるように、NDIがトグルされるかどうかを使用して、最初に伝送されるデータパケットまたは再送されるデータパケットを示すことができる。NDIが0から1に、または1から0に変更されるとき、これはデータパケットが最初に伝送されるデータパケットであることを示し、あるいはNDIが変更されないとき、これはデータパケットが再送されるデータパケットであることを示す。
【００９８】
図7(b)に示されるように、NDI=0を使用して、データパケットが最初に伝送されるデータパケットであることを示し得、NDI=1を使用して、データパケットが再送されるデータパケットであることを示し得る。代替として、別の実装において、NDI=1を使用して、データパケットが最初に伝送されるデータパケットであることを示し得、NDI=0を使用して、データパケットが再送されるデータパケットであることを示す。IR組み合わせソリューションが使用されるとき、再送回数が相対的に多い場合、最初に伝送されるデータパケットおよび再送されるデータパケットは同じRVを使用し得、この場合、NDIを使用して、データパケットが最初に伝送されるデータパケットであるかまたは再送されるデータパケットであるかを示すこともできる。
【００９９】
図7(c)に示されるように、NDI=0を使用して、データパケットが最初に伝送されるデータパケットであることを示し、NDI=1を使用して、データパケットが再送されるデータパケットであることを示す。基地局は、n番目のスロットおよび(n+6)番目のスロットの両方において、RV=0であるデータパケットを受信する。しかしながら、n番目のスロットではNDI=0であり、(n+6)番目のスロットではNDI=1である。したがって、第1のデータパケットが最初に伝送されるデータパケットであり、第2のデータパケットが再送されるデータパケットであることが決定される。さらに、CCまたはIR組み合わせの処理は、同じHARQプロセス内で、最初に伝送されるデータパケットおよび再送されるデータパケット上で実行され得る。別の実装において、代替としてNDI=1を使用して、データパケットが最初に伝送されるデータパケットであることを示し得、NDI=0を使用して、データパケットが再送されるデータパケットであることを示す。代替として、他の異なる文字を使用して、最初に伝送されるデータパケットまたは再送されるデータパケットが示される。たとえば、NDI=aを使用して、データパケットが最初に伝送されるデータパケットであることを示し、NDI=bを使用して、データパケットが再送されるデータパケットであることを示す。こうした指示様式は、本明細書では単なる例であり、本願の本実施形態において、最初に伝送されるデータパケットおよび再送されるデータパケットを示す様式は、これらに限定されない。
【０１００】
本願の本実施形態によれば、HARQプロセスID、NDI、および/またはRVを含む指示情報は制御情報内で搬送されるため、データパケットを受信したとき、基地局はデータパケットから対応するNDIを正確に解析し、いずれのデータパケットが最初に伝送されるデータパケットであり、いずれのデータパケットが再送されるデータパケットであるかを決定して、同じIDに対応するプロセスにおいて最初に伝送されるデータパケットおよび再送されるデータパケットを組み合わせることが可能であり、それによって、再送処理効果を実質的に向上させ、GF伝送の信頼性を向上させる。
【０１０１】
実施形態3
端末が基地局へのアップリンク伝送を実行するとき、制御情報内で搬送される指示情報はRBAを含み、RBAは、適応再送を容易にするために、時間周波数リソースのサイズおよびロケーションを示す。
【０１０２】
端末は、最初の伝送および再送の間、異なるかまたは同じ伝送帯域幅を使用し得る。図8に示されるように、各スロットは2つの可能な伝送帯域幅構成を有する。一方の構成は単一サブバンドであり、他方の構成は2サブバンドである。単一サブバンドは最初の伝送の間に使用され、2サブバンドは再送の間に使用される。サブバンドのうちの1つは最初の伝送および再送の両方の間に使用される。言い換えれば、最初の伝送および再送の両方の間に、一部のアップリンク伝送リソースが使用される。したがって、制御情報は、最初の伝送および再送の両方の間に使用されるアップリンク伝送リソース上で伝送可能であり、すなわち、基地局によって実行される検出を容易にするために、最初の伝送用のサブバンドおよび再送用のサブバンドのうちのオーバーラップするサブバンド上で伝送可能である。
【０１０３】
図9に示されるように、端末は、最初の伝送用のサブバンドおよび再送用のサブバンドのうちのオーバーラップするサブバンド上で制御情報を送信する。基地局は、第1に、制御情報内で搬送されるRBAインジケータを検出し、現在伝送されているデータパケットが、最初に伝送されるデータパケットであるかまたは再送されるデータパケットであるかを決定することができる。RBAが、現在伝送されているデータパケットが単一サブバンドを使用していることを示す場合、基地局は、現在伝送されているデータパケットが最初に伝送されるデータパケットであるものと決定するか、または、RBAが、現在伝送されているデータパケットが2サブバンドを使用していることを示す場合、基地局は、現在伝送されているデータパケットが再送されるデータパケットであるものと決定する。次いで、基地局は、サブバンドと時間周波数リソースとの間の対応に従って、対応する時間周波数リソース上のデータ情報を検出する。伝送帯域幅が複数のサブバンドを含むとき、同じデータ情報を異なるサブバンド上で伝送することができる。データ情報を検出するとき、基地局はデータ情報に関してCCを実行し得る。代替として、端末は、異なるリダンダンシバージョンを含むデータ情報をデータチャネル上で伝送し得、基地局は、データ情報を検出するとき、異なるリダンダンシバージョンを含むデータ情報についてIR組み合わせを実行する。
【０１０４】
加えて、再送回数と、端末がアップリンク伝送を実行するときに使用される伝送帯域幅との間に、一定の対応が存在し得、現在の再送回数は、制御情報または別の指示メッセージ内で搬送されるRVを使用することによって示され得るため、基地局は、現在のスロット内の伝送帯域幅および対応する端末の時間周波数リソースを決定することができる。図9に示されるように、端末は制御情報に再送回数を追加し、基地局は、表1における再送回数と伝送帯域幅との間の対応に従って、伝送帯域幅を決定し、伝送帯域幅に基づいて対応する帯域幅上のデータパケットを検出する。
【０１０５】
【表１】
0006907322.tif 000002
【０１０６】
Table 1(表1)内の値は単なる例であって、再送回数と伝送帯域幅との間の対応は別の様式で示すことも可能であり、本明細書では詳細に説明しない。
【０１０７】
実施形態3によれば、制御情報内で搬送される指示情報はRBAを含み、RBAは、端末によって現在送信されているデータパケットによって使用される時間周波数リソースのサイズおよびロケーションを基地局に示すため、基地局は、時間周波数リソースのサイズ(すなわち、サブバンドの量)に基づいて、現在の伝送が再送であるか最初の伝送であるかを好都合に決定することができ、時間周波数リソースの示されたロケーションにおいてデータパケットを受信することができる。
【０１０８】
実施形態4
端末が基地局へのアップリンク伝送を実行するとき、制御情報内で搬送される指示情報はBSRを含み、BSRは、基地局に対して、端末がGF伝送からの許可ベース伝送に切り替えられるかどうかを示すために使用される。
【０１０９】
ある様式において、BSRに割り当てられる異なる値は、次回送信されることになるデータパケットが、記憶されたアップリンク伝送リソースを使用することによって伝送される(すなわち許可なし伝送)か、または、再要求された際にネットワーク側デバイスによって割り振られたアップリンク伝送リソースを使用することによって伝送される(すなわち許可ベース伝送)かを、示す。図10に示されるように、端末はn番目のスロット内で最初のGF伝送を実行し、この場合、BSR=0は、再送が存在する場合、再送は依然としてGF伝送であることを示し:端末は(n+2)番目のスロット内で1回目のGF再送を実行し、この場合、BSR=1は、再送が存在する場合、再送は許可ベース伝送であることを示し:端末は(n+4)番目のスロット内で2回目の許可ベース再送を実行し、この場合、BSR=0は、後続の再送がGF伝送であることを示し:端末は(n+6)番目のスロット内で最初のGF伝送を実行する。
【０１１０】
別の実装において、BSRに割り当てられる値1は、次回送信されることになるデータパケットが、記憶されたアップリンク伝送リソースを使用することによって伝送されることを表し、BSRに割り当てられる値0は、次回送信されることになるデータパケットが、再要求された際にネットワーク側デバイスによって割り振られたアップリンク伝送リソースを使用することによって伝送されることを示す。
【０１１１】
さらに別の実装において、BSRの値がトグルされないかまたは以前の値と同じであるとき、これは、次回送信されることになるデータパケットが、記憶されたアップリンク伝送リソースを使用することによって伝送されることを示すか、あるいは、BSRの値がトグルされるかまたは以前の値と同じでないとき、これは、次回送信されることになるデータパケットが、再要求された際にネットワーク側デバイスによって割り振られたアップリンク伝送リソースを使用することによって伝送されることを示す。
【０１１２】
たとえば、BSRの値が0から1に、または1から0に変更されるように設定されるとき、これは、データパケットが以前の伝送とは異なる伝送様式を使用することを示すか、あるいは、BSRの値が変更されないとき、これは、データパケットが以前の伝送と同じ伝送様式を使用することを示す。図11に示されるように、端末はn番目のスロット内で最初のGF伝送を実行し、この場合、BSR=1は、再送が存在する場合、再送は依然としてGF伝送であることを示し:端末は(n+2)番目のスロット内で1回目のGF再送を実行し、この場合、BSRの値は1から0へと変更され、これは、再送が存在する場合、再送は許可ベース伝送であることを示し:端末は(n+4)番目のスロット内で2回目の許可ベース再送を実行し、この場合、BSRの値は0から1へと変更され、これは後続の再送がGF伝送であることを示し:端末は(n+6)番目のスロット内で最初のGF伝送を実行する。
【０１１３】
代替として、最初に伝送されるデータパケットまたは再送されるデータパケットを表すために、BSRに異なる文字が使用される。たとえばBSR=anは、次回送信されることになるデータパケットの伝送様式が依然としてGF伝送であることを示し、BSR=bは、次回送信されることになるデータパケットの伝送様式が許可ベース伝送に変更されることを示す。こうした指示様式は、本明細書では単なる例であり、本願の本実施形態において、許可ベース伝送およびGF伝送を示す様式はこれらに限定されない。
【０１１４】
実施形態4によれば、制御情報内で搬送される指示情報はBSRを含み、BSRは、基地局に対して、端末が許可ベース伝送にスイッチされるかどうかを示すため、基地局は、許可ベース伝送が実行される必要があるかどうかを好都合に決定することができる。ユーザデータパケットが十分に大きい場合、基地局の許可ベース伝送の効率が高くなるか、または、ユーザデータパケットが十分に大きくない場合、制御情報のオーバーヘッド割合は過度に大きくなる。
【０１１５】
実施形態1から実施形態4の特定の実装の間、制御情報は以下のように表される。
アップリンク制御情報(Uplink Control Information、UCI)、UCIのフォーマットが以下の情報を含み得る:
-  HARQプロセスID-xビット
-  NID-1ビットまたは-RV-xビット
【０１１６】
任意選択として、UCIは以下の情報をさらに含み得る:
-  リソースブロック割り当て-xビット
-  BSR-xビット
【０１１７】
実施形態5
端末が基地局へのアップリンク伝送を実行するとき、指示情報は、基準信号を使用することによって暗黙的に示され、複数のデータパケットが同時に伝送されるとき、基地局によって複数のデータパケットをどのように組み合わせるかの問題を解決するために、指示情報はHARQプロセスIDを含む。
【０１１８】
同じ端末の場合、異なる基準信号を使用して異なるHARQプロセスIDを示すことができる。共通の基準信号はZCシーケンスであり、
【０１１９】
【数１】
0006907322.tif 000003
【０１２０】
ここで、
【０１２１】
【数２】
0006907322.tif 000004
【０１２２】
は、ZCシーケンスの長さを表し、nはシーケンスの要素数を表し、qはZCシーケンスのルート(root)を表す。異なるルートは異なるZCシーケンスに対応する。基地局は、端末によって送信されるシーケンスを検出することによって、対応するプロセスIDを決定する。
【０１２３】
一実装において、異なるZCシーケンス(ルートが異なる)を使用して、たとえば以下のように、異なるプロセスIDを示すことができる。
【０１２４】
【数３】
0006907322.tif 000005
【０１２５】
別の実装において、異なるZCシーケンスを生成するために、異なる循環シフトを同じZCシーケンス上で実行し、たとえば以下のように、異なるプロセスを示すことができる。
【０１２６】
【数４】
0006907322.tif 000006
【０１２７】
加えて、異なるプロセスを区別するために異なるパターン(またはロケーション)を使用することができる。図12に示されるように、2つの異なる基準信号パターンは、それぞれ、プロセス0およびプロセス1を示す基準信号を表すために使用される。図12(a)および図12(b)は、異なるパイロットロケーションに対応し、影付き部分は基準信号が送信されるロケーションを表す。
【０１２８】
本願の本実施形態によれば、HARQプロセスIDおよび/またはリダンダンシバージョン(RV)を含む指示情報を示すために、異なる基準信号シーケンスまたはパターンが使用されるため、データパケットを受信するとき、基地局は、データパケットからの対応するHARQプロセスIDを正確に解析し、いずれのデータパケットが最初に伝送されるデータパケットであり、いずれのデータパケットが再送されるデータパケットであるかを決定して、同じIDに対応するHARQプロセスにおいて最初に伝送されるデータパケットおよび再送されるデータパケットを組み合わせることが可能であり、それによって、再送処理効果を実質的に向上させ、アップリンク伝送の信頼性を向上させる。
【０１２９】
実施形態6
端末が基地局へのアップリンク伝送を実行するとき、指示情報は基準信号を使用することによって暗黙的に示され、同じHARQプロセス内で、最初に伝送されるデータパケットおよび再送されるデータパケットをどのように決定するかの問題を解決するために、指示情報はNDIを含む。
【０１３０】
実施形態5と同様に、同じ端末の場合、異なる基準信号シーケンスを使用して、NDI、たとえばZCシーケンスの異なる循環シフト、および異なるZCシーケンスを示すことができるか、あるいは、異なる基準信号ロケーションまたはパターンを使用して、最初に伝送されるデータパケットと再送されるデータパケットを区別することができる。図12に示されるように、2つの異なる基準信号パターンは、それぞれ、最初に伝送されるデータパケットおよび再送されるデータパケットを示す。本明細書では詳細に説明しない。
【０１３１】
本願における実施形態6によれば、異なる基準信号シーケンスまたはパターンを使用して、HARQプロセスID、NDI、および/またはRVを搬送する指示情報を暗黙的に示し、したがって、データパケットを受信するとき、基地局は、データパケットからの対応するNDIを正確に解析し、いずれのデータパケットが最初に伝送されるデータパケットであり、いずれのデータパケットが再送されるデータパケットであるかを決定して、同じIDに対応するHARQプロセスにおいて最初に伝送されるデータパケットおよび再送されるデータパケットを組み合わせることが可能であり、それによって再送処理効果を実質的に向上させ、アップリンク伝送の信頼性を向上させる。
【０１３２】
実施形態7
端末が基地局へのアップリンク伝送を実行するとき、指示情報は基準信号を使用することによって暗黙的に示され、指示情報は適応再送を容易にするためにRBAを含む。実施形態5と同様に、同じ端末の場合、異なる基準信号シーケンスを使用して異なるRBA、たとえば、ZCシーケンスの異なる循環シフト、および異なるZCシーケンスを示すことができるか、あるいは、異なるRBAインジケータを区別するために異なるロケーションまたはパターンを使用することができる。図12に示されるように、2つの異なる基準信号パターンは、それぞれ異なるRBAを示す。本明細書では詳細に説明しない。
【０１３３】
実施形態7によれば、RBAは基準信号を使用することによって暗黙的に示され、基地局に対して、端末によって現在送信されているデータパケットによって使用される時間周波数リソースのサイズおよびロケーションを示すため、基地局は、時間周波数リソースのサイズ(すなわち、サブバンドの量)に基づいて、現在伝送されているデータパケットが再送されるデータパケットであるかまたは最初に伝送されるデータパケットであるかを好都合に決定し、時間周波数リソースの示されるロケーションにおいてデータパケットを受信することができる。
【０１３４】
実施形態8
端末が基地局へのアップリンク伝送を実行するとき、指示情報は、基準信号を使用することによって暗黙的に示され、指示情報はBSRを含み、端末がGF伝送から許可ベース伝送にスイッチされるかどうかを基地局に対して示すために、BSRが使用される。実施形態5と同様に、同じ端末の場合、異なる基準信号シーケンスを使用して、BSR、たとえばZCシーケンスの異なる循環シフト、および異なるZCシーケンスを示すことができるか、あるいは、異なるBSRを区別するために異なるロケーションまたはパターンが使用され得る。図12に示されるように、2つの異なる基準信号パターンは、それぞれ異なるBSRを示す。本明細書では詳細に説明しない。BSRは、基準信号を使用することによって暗黙的に示され、基地局に対して、端末が許可ベース伝送にスイッチされるかどうかを示すため、基地局は、許可ベース伝送が実行される必要があるかどうかを好都合に決定することができる。ユーザデータパケットが十分大きい場合、基地局の許可ベース伝送の効率が高くなるか、または、ユーザデータパケットが十分に大きくない場合、制御情報のオーバーヘッド割合は過度に大きくなる。
【０１３５】
実施形態5から実施形態8の特定の実装の間、指示情報は、基準信号を使用することによって暗黙的に示される。
【０１３６】
異なるユーザは異なる復調基準信号シーケンス
【０１３７】
【数５】
0006907322.tif 000007
【０１３８】
λ∈{0,1,…, v-1}を使用する。基準信号シーケンスの特定の定義は以下の通りであり、
【０１３９】
【数６】
0006907322.tif 000008
【０１４０】
ここで、m=0およびm=1はそれぞれ、基準信号の伝送に使用される2つのOFDMシンボルに対応し、
【０１４１】
【数７】
0006907322.tif 000009
【０１４２】
は、各OFDMシンボル上の
【０１４３】
【数８】
0006907322.tif 000010
【０１４４】
リソース要素(Resource Element、RE)に対応し、
【０１４５】
【数９】
0006907322.tif 000011
【０１４６】
は、循環シフトが、基本シーケンスr(n)上で実行されることを示し、r(n)は前述のZCシーケンスであり得るか、またはGoldシーケンスなどの別のシーケンスであり得る。
【０１４７】
別の実装において、パターンは異なる基準信号を区別するために使用され得る。たとえば、UCI 1a(NDIビットを有さない)に使用されるシーケンスw(λ)(m,n)は、以下のTable 2(表2)に従って決定される。
【０１４８】
【表２】
0006907322.tif 000012
【０１４９】
前述の表は、NDI=0が、第1のOFDMシンボル上にある偶数を伴うRE上で伝送される基準信号に対応し、奇数を伴うREは空であり、第2のOFDMシンボルの場合はその逆であることを示し、NDI=1は、第1のOFDMシンボル上にある奇数を伴うRE上で伝送される基準信号に対応し、偶数を伴うREは空であり、第2のOFDMシンボルの場合はその逆であることを示す。
【０１５０】
さらに別の実装において、シーケンスの循環シフトはパイロットを区別するためにも使用され得る。循環シフト値αλは、αλ=2πncs,λ/12に従って決定され、ncs,λの値は、以下のTable 3(表3)に従って決定される。
【０１５１】
【表３】
0006907322.tif 000013
【０１５２】
Table 3(表3)は、HARQプロセスID=0のとき、シフトパラメータはそれぞれ0および6であるか、またはHARQプロセスID=1のとき、シフトパラメータはそれぞれ3および9であることを示す。
【０１５３】
本願の実施形態におけるソリューションは、上記で、環境全体および通信システムのハードウェア装置、ならびに方法手順の観点から説明している。前述の機能を実装するために、様々なネットワーク要素、たとえば端末、基地局、または制御ノードは、各機能を実行するための、対応するハードウェア構造および/またはソフトウェアモジュールを含むことを理解されよう。当業者であれば、本願は、本明細書に開示された実施形態において説明する例示のアルゴリズムステップと組み合わせて、ハードウェア、またはハードウェアおよびコンピュータソフトウェアの組み合わせによって、実装可能であることに、容易に気付くはずである。機能が、ハードウェアによって、またはコンピュータソフトウェアによって駆動されるハードウェアによって実行されるかどうかは、技術的ソリューションの特定の適用例および設計制約に依存する。当業者であれば、異なる方法を使用して、各特定の適用例について説明した機能を実装することができるが、実装は本願の範囲を超えるものと見なされるべきではない。
【０１５４】
本願において提供されるいくつかの実施形態において、開示される装置および方法は他の様式で実装可能であることを理解されたい。たとえば、説明した装置実施形態は単なる例である。たとえば、モジュールまたはユニット分割は単なる論理的な機能分割であり、実際の実装において他の分割も可能である。たとえば、複数のユニットまたはコンポーネントを組み合わせるか、または別の装置に統合することが可能であるか、あるいは、いくつかの特徴を無視するかまたは実行しないことが可能である。加えて、表示または考察した相互結合または直接結合、あるいは通信接続は、何らかのインターフェースを使用することによって実装され得る。装置またはユニット間の間接結合または通信接続は、電子的、機械的、または他の形で実装され得る。
【０１５５】
別々の部分として説明したユニットは、物理的に分離されていてもされていなくてもよく、ユニットとして表示される部分は、1つまたは複数の物理ユニットであり得、1カ所に配置され得、あるいは異なる場所に分散され得る。ユニットの一部分またはすべては、実施形態のソリューションの目的を達成するための実際の要件に基づいて選択され得る。
【０１５６】
加えて、本願の実施形態において、機能ユニットが1つの処理ユニットに統合され得るか、または、各々のユニットが物理的に単独で存在し得るか、あるいは、2つ以上のユニットが1つのユニットに統合される。統合されたユニットは、ハードウェアの形で実装され得るか、またはソフトウェア機能ユニットの形で実装され得る。
【０１５７】
統合されたユニットがソフトウェア機能ユニットの形で実装され、独立製品として販売または使用されるとき、統合されたユニットは可読記憶媒体内に記憶され得る。こうした理解に基づき、本質的に本願の技術的ソリューション、または従来技術に寄与する部分、あるいは、技術的ソリューションのすべてまたは一部は、ソフトウェア製品の形で実装され得る。ソフトウェア製品は記憶媒体に記憶され、デバイス(単一チップマイクロコンピュータ、チップなどであり得る)またはプロセッサ(processor)に、本願の実施形態に記載される方法のステップのすべてまたは一部を実行するように命令するための、いくつかの命令を含む。前述の記憶媒体は、USBフラッシュドライブ、取り外し可能ハードディスク、ROM、RAM、磁気ディスク、または光ディスクなどの、プログラムコードを記憶可能な任意の媒体を含む。
【０１５８】
前述の説明は、本願の単なる特有の実装であるが、本願の保護範囲を限定することは意図されていない。本願において開示される技術的範囲内での、当業者によって容易に理解される任意の変形または置換は、本願の保護範囲内にあるものとする。したがって、本願の保護範囲は特許請求の範囲の保護範囲を対象とするものとする。
【符号の説明】
【０１５９】
10  トランシーバ
11  プロセッサ
12  メモリ
13  システムバス
20  トランシーバ
21  プロセッサ
22  メモリ
23  システムバス
60  制御ノード
100  通信システム
【図１】
0006907322.tif 000014
【図２】
0006907322.tif 000015
【図３】
0006907322.tif 000016
【図４】
0006907322.tif 000017
【図５】
0006907322.tif 000018
【図６】
0006907322.tif 000019
【図７】
0006907322.tif 000020
【図８】
0006907322.tif 000021
【図９】
0006907322.tif 000022
【図１０】
0006907322.tif 000023
【図１１】
0006907322.tif 000024
【図１２】
0006907322.tif 000025